(57)【要約】【課題】木材と木材を強力に引寄せて締結できる木材締結用木ねじを提供する。【解決手段】軸部２の一端に、木ねじ１を回す工具１１と嵌合する機構４を有する頭部３、他端に先鋭な先端部５、先鋭な先端部５から始まる第１のねじ山６を軸部の所定位置まで設け、続いて被固定側の木材の厚みとほぼ同じ長さに構成された円柱状の無ねじ部７を、続いて前記無ねじ部の直径より大径に成形された円環部８を、続いて前記円環部と前記頭部の間に第１のねじ山６と同じピッチで第２のねじ山９を設けた木ねじを使って木材と木材を締結すれば、双方の木材がしっかりと引寄せられ、いつまでも双方の木材の間に隙間が生じることがないので、床の軋みや壁面の撓み等の発生を防ぐことができる。ことができる。【選択図】　図１
2004100420.tif 000002
【特許請求の範囲】
【請求項１】
木材と木材を締結するために使用される木ねじであって、軸部の一端にネジを回す工具と嵌合する機構を有する頭部、他端に先鋭な先端部、中間の軸部にはねじ山を有する木ねじにおいて、先鋭な先端部から始まる第１のねじ山を軸部の所定位置まで設け、続いて所定の長さに構成された円柱状の無ねじ部を、続いて前記無ねじ部の直径より大径に成形された円環部を、続いて前記円環部と前記頭部の間に第１のねじ山と同じピッチに成形された第２のねじ山を設けたことを特徴とする木材締結用木ねじ。
【請求項２】
請求項１に記載の木材締結用木ねじにおいて、前記円環部を前記頭部側に向けて徐々に拡径するように成形したことを特徴とする木材締結用木ねじ。
【請求項３】
請求項１、請求項２に記載の木材締結用木ねじにおいて、前記無ねじ部の全長を被固定側の木材の厚みと同じかそれ以上の長さに成形したことを特徴とする木材締結用木ねじ。
【請求項４】
建築物の床を構成する木製大引材と木製根太材を締結する施工方法において、請求項１から請求項３に記載の木材締結用木ねじの無ねじ部の全長を前記木製根太材の厚み以上に成形した木ねじを使用して前記木製大引材と前記木製根太材を密着させて締結することを特徴とする施工方法。
【発明の詳細な説明】
【０００１】
【発明の属する技術分野】
この発明は建築物に使用される例えば床下を構成する大引と根太のように木材と木材を締結する木ねじに関する。
【０００２】
【従来の技術】
例えば木造建築物の床下を構成する大引と根太の締結、または間柱と胴縁の締結をするのに一般的に釘が使用されてきたが、いろいろな外的要因による振動により釘が緩んで抜け、床の軋みや壁面の撓み等が生じるため、最近では釘に変わり公知の木ねじがよく使われている。
【０００３】
【発明が解決しようとする課題】
しかしながら、公知の木ネジでは２つの木材を締結する際、両方の木材にねじが係るとねじの回転によりそれぞれの木材が同じように木ねじの頭方向に引き寄せられるため、被固定側の木材と固定側の木材が密着せず、両者の間に隙間が生じ、床の軋みや壁面の撓み等が発生るといった問題があった。　このような問題を解決するために、公知の半ねじタイプが使われることもあったが、この場合木ネジの頭部による引寄せ力しかなく、十分な引寄せ力を得られず、また木材の経年変化による木痩せにより、木ねじの頭浮きが発生する欠点があった。そこで、特開２００１−９０７２０号や特開平６−４２５１５号で示されているように先端側と頭部側にピッチの異なるねじ山を設けたものが考えられ、使用されているが、被固定側または固定側のそれぞれの木材に螺合する木ねじのねじ山ピッチが違う為、比較的柔らかい木材に使用した場合、各木材のねじ山との接触部分が破壊されるので、木材の経年変化によりねじの締結力が失われ、結果として十分な引き寄せ効果が得られなかったり、また比較的硬い木材に使用した場合、木ねじが捻じ込み途中で螺進不可能となり、最後まで捻じ込めないことがあった。
【０００４】
【課題を解決するための手段】
上記のような課題を解決するため、請求項１の発明は、木材と木材を締結するために使用される木ねじであって、軸部の一端にネジを回す工具と嵌合する機構を有する頭部、他端に先鋭な先端部、中間の軸部にはねじ山を有する木ねじにおいて、先鋭な先端部から始まる第１のねじ山を軸部の所定位置まで設け、続いて所定の長さに構成された円柱状の無ねじ部を、続いて前記無ねじ部の直径より大径に成形された円環部を、続いて前記円環部と前記頭部の間に第１のねじ山と同じピッチに成形された第２のねじ山を設けた構成を採用したものである。
【０００５】
請求項２の発明は、請求項１に記載の木ねじにおいて、前記円環部を前記頭部側に向けて徐々に拡径するように成形した構成を採用したものである。
【０００６】
請求項３の発明は、請求項１および請求項２に記載の木ねじにおいて、前記無ねじ部の全長を被固定側の木材の厚みと同じかそれ以上の長さに成形した構成を採用したものである。
【０００７】
請求項４の発明は、建築物の床を構成する木製大引材と木製根太材を締結する工法において、請求項１から請求項３に記載の木材締結用木ねじの無ねじ部の全長を前記木製根太材の厚み以上に成形した木ねじを使用して前記木製大引材と前記木製根太材を密着させて締結する施工方法を採用したものである。
【発明の実施の形態】
以下、この発明の実施の形態を図示例と共に説明する。
【０００８】
図１に示すように、本発明である木ねじ１には軸部２の一端に、木ねじ１を回す工具１１と嵌合する機構４を有する頭部３、他端に先鋭な先端部５、先鋭な先端部５から始まる第１のねじ山６を軸部の所定位置まで設け、続いて被固定側の木材の厚みと同じ長さ以上の全長に構成された円柱状の無ねじ部７を、続いて前記無ねじ部の直径より大径に成形された円環部８を、続いて前記円環部と前記頭部の間に第１のねじ山６と同じピッチで第２のねじ山９を設けてある。
【０００９】
なお、木材の種類によって円環部の形状を図２のように複数設けたり、形状を変えてもよい。
【００１０】
次に、本発明である木ネジ１による木造建築物の床下を構成する大引２２と根太２１の締結方法を、図３を用いて説明する。
【００１１】
予め図示しない床束に接合された大引２２上に直交するように設置された根太２１の上から本発明である木ネジ１の頭部３に設けた機構４に工具１１を嵌合させ、先鋭な先端部５から捻じ込んでいく。
【００１２】
先鋭な先端部５が根太２１を貫通し、大引２２に捻じ込まれていく。そして第１のねじ山６が大引２２に完全に捻じ込まれると、円柱状の無ねじ部７に続いて無ねじ部７の直径より大径に成形された円環部８が根太２１に回転しながら食い込んでいく。この時円環部８によって根太２１は大引２２に強く押し付けられている。
【００１３】
そして、円環部８に続いて、第１のねじ山６と同じピッチの第２のねじ山９が根太２１に回転しながら食い込んでいくが、円環部８によって根太２１は大引２２に強く押し付けられているため、根太２１と大引２２が密着した状態で
第２のねじ山９は根太２１にねじ込まれていく。
【００１４】
その際、円環部８によって拡径された根太２１のねじ穴２３は木材の復元力により多少収縮するので、円環部８とねじ山９の直径は締結される木材の収縮率を考慮して設定すればよい。
【００１５】
最後に、木ネジ１の頭部３が根太２１にほぼ面一になるまでねじ込まれ、本発明品である木ネジ１を使った大引２２への根太２１の締結は、双方が引き寄せられ密着した状態で完了する。
【００１６】
なお、第１のねじ山６が大引２２に、第２のねじ山９は根太２１にねじ込まれている時、双方のねじピッチは同じであるため、根太２１と大引２２のねじ山との接触部分が破壊されことなく、引き寄せられている。
【００１７】
【発明の効果】
以上のように、この発明によると、頭部と、他端に先鋭な先端部、中間の軸部にはねじ山を有する木ねじにおいて、先鋭な先端部から始まる第１のねじ山を軸部の所定位置まで設け、続いて所定の長さに構成された円柱状の無ねじ部を、続いて前記無ねじ部の直径より大径に成形された円環部を、続いて前記円環部と前記頭部の間に第１のねじ山と同じピッチに成形された第２のねじ山を設けたことを特徴とする木材締結用木ねじを使って木材と木材を締結すれば、双方の木材がしっかりと引寄せられ、いつまでも双方の木材の間に隙間が生じることがないので、床の軋みや壁面の撓み等の発生を防ぐことができる。
【図面の簡単な説明】
【図１】本発明に係る木材締結用木ねじの一例を示す正面図と左側面図である。
【図２】本発明に係る木材締結用木ねじの円環部の一例を示す部分拡大図である。
【図３】本発明に係る木材締結用木ねじを使用した根太と大引の締結工程をを示す工程図である。
【符号の説明】
１．　木ねじ
２．　軸部
３．　頭部
４．　機構
５．　先端
６．　ねじ
７．　無ねじ部
８．　円環部
９．　ねじ
１１．工具
２１．根太
２２．大引
２３．ねじ穴
【図１】
2004100420.tif 000003
【図２】
2004100420.tif 000004
【図３】
2004100420.tif 000005